(57)【要約】【課題】放電灯のリード線を容易かつ確実に接続することを可能にし、品質の安定化、製造コストの低減を図る。【解決手段】冷陰極６のリード線７が端部から軸線方向に直線状に引き出された蛍光灯２のリード線７が軸線方向に対して挿脱自在に係合される間隙１０が設けられた端子部８と、蛍光灯２の外周部を保持する保持部９とを有する接続端子３を備える。また、接続端子３が着脱自在に装着されて端子部８が電気的に接続されるソケット４を備える。【選択図】図１
2008021607.tif 000002
【特許請求の範囲】
【請求項１】
冷陰極のリード線が端部から軸線方向に直線状に引き出された放電灯の前記リード線が前記軸線方向に対して挿脱自在に係合される間隙が設けられた端子部と、前記放電灯の外周部を保持する保持部とを有する接続端子と、
前記接続端子が着脱自在に装着されて前記端子部が電気的に接続されるソケットと
を備えることを特徴とする、放電灯の接続構造体。
【請求項２】
前記接続端子は、導電性材料によって前記端子部と前記保持部が一体に形成され、前記端子部の外周面が前記ソケットに当接されて電気的に接続される請求項１に記載の、放電灯の接続構造体。
【請求項３】
前記接続端子には、前記間隙をなす一対の端子片が設けられている請求項１または２に記載の、放電灯の接続構造体。
【請求項４】
前記接続端子には、前記放電灯の端面が突き当てられ該端面の位置を規制する位置規制片が設けられている請求項１ないし３のいずれか１項に記載の、放電灯の接続構造体。
【請求項５】
前記保持部は、筒状に形成され、内周部に、前記放電灯の外周面に当接される保持凸部が設けられている請求項１ないし４のいずれか１項に記載の、放電灯の接続構造体。
【請求項６】
前記保持部には、前記保持部を周方向に分割して弾性変位可能にするスリットが設けられている請求項１ないし５のいずれか１項に記載の、放電灯の接続構造体。
【請求項７】
請求項１ないし６のいずれか１項に記載の放電灯の接続構造体と、
前記放電灯とを備える照明装置。
【請求項８】
複数の前記放電灯と、
前記各放電灯がそれぞれ接続される複数の前記接続端子と、
前記複数の放電灯に共通して設けられた点灯用回路部と
を備える請求項７項に記載の照明装置。
【発明の詳細な説明】
【技術分野】
【０００１】
本発明は、冷陰極蛍光灯等の冷陰極放電灯を有する放電灯の接続構造体、および照明装置に関する。
【背景技術】
【０００２】
一般に、冷陰極蛍光灯（ＣＣＦＬ）は、冷陰極のリード線が、電源回路側のハーネス線に半田付けされて電気的に接続されている。この種の冷陰極蛍光灯を用いる照明装置は、組立工程で、蛍光灯の冷陰極に電流を供給するためのハーネス線に、蛍光灯のリード線を接合するための半田付け加工が、作業者による手作業で行われている。
【０００３】
そして、この手作業での半田付け加工は、加工条件、例えば、温度、半田こてを接合部分に当接させる状態、半田付け時間、半田量等のバラツキが作業者や熟練度等によって左右されるので、半田付けによる接合状態に安定した品質が得られない問題があった。すなわち、従来の照明装置では、リード線とハーネス線の接合強度のバラツキや、リード線の断線やクラック等が発生する問題があった。
【０００４】
また、半田付け加工は、半田材料、半田こて等の加工ジグ類、工数が多くなり、照明装置の製造コストがかさむ不都合があった。さらに、従来の照明装置は、半田付けで接合するためのスペースを確保する必要があり、照明装置の小型化が困難であった。
【０００５】
このため、リード線をハーネス線に接合する半田付け加工を無くす対策としては、蛍光灯のリード線を接続端子部材に挿入することで電気的に接続する構成が開示されている（例えば特許文献１参照）。
【特許文献１】特開２００５−１８３０１１号公報（図５）
【発明の開示】
【発明が解決しようとする課題】
【０００６】
しかしながら、上述の特許文献１に開示されている構成は、蛍光灯のリード線とハーネス線との半田付け加工を無くすことが可能であるが、部品点数が増加し、構造が複雑化し、製造コストの増加を招く不都合がある。
【０００７】
そこで、本発明は、放電灯のリード線の接続を容易かつ確実に行うことを可能にし、品質の安定化、製造コストの低減を図ることができる放電灯の接続構造体および照明装置を提供することを目的とする。
【課題を解決するための手段】
【０００８】
上述した目的を達成するため、本発明に係る放電灯の接続構造体は、冷陰極のリード線が端部から軸線方向に直線状に引き出された放電灯のリード線が軸線方向に対して挿脱自在に係合される間隙が設けられた端子部と、放電灯の外周部を保持する保持部とを有する接続端子を備える。また、この放電灯の接続構造体は、接続端子が着脱自在に装着されて端子部が電気的に接続されるソケットを備える。
【０００９】
以上のように構成した本発明に係る放電灯の接続構造体によれば、放電灯のリード線が、接続端子の端子部に係合されて接続されるとともに、放電灯の外周部が保持部に保持される。そして、放電灯に接続された接続端子は、ソケットに装着されることで電気的に接続される。
【００１０】
また、本発明に係る照明装置は、上述した放電灯の接続構造体と、放電灯とを備える。
【発明の効果】
【００１１】
本発明によれば、放電灯のリード線を容易かつ確実に接続することを可能にし、品質の安定化、製造コストの低減を図ることができる。
【発明を実施するための最良の形態】
【００１２】
以下、本発明の具体的な実施形態について、図面を参照して説明する。
【００１３】
図１（ａ）および図１（ｂ）に示すように、照明装置１は、放電灯としての蛍光灯２と、この蛍光灯２の冷陰極５のリード線６が挿脱自在に係合されて電気的に接続される接続端子３と、この接続端子３が着脱自在に装着されて電気的に接続されるソケット４とを備えている。
【００１４】
蛍光灯２は、円筒状のガラス管５と、このガラス管５の一端部に設けられた冷陰極６とを有している。冷陰極６は、ガラス管５の一端部から軸線方向に沿って直線状に引き出されたリード線７を有している。なお、この蛍光灯２としては、例えば直径が３〜４ｍｍ程度、長さが１２ｍｍ程度のもの用いられている。
【００１５】
図２（ａ）〜図２（ｃ）に示すように、接続端子３は、例えば金属材等の導電性材料によって形成されており、蛍光灯２のリード線７が接続される角筒状の端子部８と、蛍光灯２の一端側の外周部を保持する円筒状の保持部９とを有している。
【００１６】
端子部８の内周部には、図３（ａ）、図３（ｂ）および図４（ａ）、図４（ｂ）に示すように、蛍光灯２のリード線７がその軸線方向に挿脱される間隙１０を構成する一組の端子片１１が、互いに対向する位置にそれぞれ形成されている。各端子片１１は、蛍光灯２のリード線７が間隙１０内に挿脱されるときに、互いに近接離間する方向に弾性変位可能に設けられている。
【００１７】
保持部９の内周面には、図２（ａ）および図２（ｃ）に示すように、周方向の３箇所に、蛍光灯２の外周面に当接される略半球状の保持凸部１４がそれぞれ突出して形成されており、これら保持凸部１４によって蛍光灯２が保持部９内で３点支持されている。
【００１８】
また、図２（ｂ）、図２（ｃ）および図４（ａ）、図４（ｂ）に示すように、保持部９には、蛍光灯２の端面が突き当てられて、この端面の位置を規制する位置規制片１２が設けられている。
【００１９】
また、図２（ａ）に示すように、保持部９には、この保持部９を周方向に分割するスリット１５が形成されている。保持部９は、このスリット１５によって周方向に弾性変位可能にされており、蛍光灯２を保持する保持部９に作用する応力が逃がされ、蛍光灯２を良好に保持することが可能にされている。
【００２０】
図５に示すように、ソケット４は、接続端子３の端子部８の外周面にそれぞれ係合する一組の係合片１７を有している。また、ソケット４は、蛍光灯２のリード線７に電流を供給する点灯用回路部（不図示）に電気的に接続されている。照明装置１は、接続端子３がソケット４に対して着脱自在に装着され、接続端子３が各係合片１７を介して電気的に接続されることで、組立作業の簡素化が図られている。
【００２１】
以上のように構成された照明装置１について、蛍光灯２のリード線７が接続端子３の端子部８に接続される状態を、図面を参照して説明する。
【００２２】
まず、照明装置１は、接続端子３の保持部９に対して蛍光灯２が軸線方向に挿入されることで、蛍光灯２の端面が位置規制片１２に突き当てられて、蛍光灯２の外周部が保持部９の各保持凸部１４によって保持される。
【００２３】
続いて、蛍光灯２は、外周部が保持部９に保持されるとともに、接続端子３の端子部８の各端子片１１の間隙１０内に、蛍光灯２のリード線７が挿入されることで、端子片１１に電気的に接続される。そして、蛍光灯２に接続された接続端子３は、端子部８がソケット１５の係合片１７に係合されることで、点灯用回路部に電気的に接続される。
【００２４】
なお、上述した照明装置１は、蛍光灯２、接続端子３およびソケット４を１つずつ備える構成として説明したが、照明装置は、複数の蛍光灯２と、各蛍光灯２のリード線７にそれぞれ接続される複数の接続端子３と、これら各接続端子３が着脱自在に装着される複数のソケット４と、複数の蛍光灯２に共通して設けられた点灯用回路部を有する回路基板（不図示）とを備える構成が採られてもよい。
【００２５】
上述したように、照明装置１は、蛍光灯２を保持するとともにリード線７に電気的に接続される接続端子３と、この接続端子３が着脱自在に装着されるソケット４とを備えることによって、蛍光灯２のリード線７を容易かつ確実に接続することを可能にし、構成を簡素化して、製造コストの低減を図ることができる。
【００２６】
すなわち、照明装置１は、リード線に接合されるハーネス線を使用せずに、接続端子３を介してソケット４に接続される、いわゆるガラス管ヒューズ型の接続構造を採ることで、従来のような半田付け加工を不要とし、製造工程における作業者によるバラツキを低減し、照明装置の品質の安定化を図ることができる。したがって、本発明によれば、組立作業の工数、部品点数を減らすことが可能になり、半田付け加工の接合状態の不良や、リード線の断線を低減することできる。
【００２７】
なお、本発明に係る放電灯の接続構造体および照明装置は、例えば液晶表示板を背面側から照明する光源いわゆるバックライトとして、液晶表示装置に採用されて好適である。また、本発明に係る放電灯の接続構造体および照明装置は、例えば看板や展示台等の照明や、パチンコ機等の遊技機関連機器のバックライトとして使用されて好適である。
【図面の簡単な説明】
【００２８】
【図１】本実施形態の照明装置を示す斜視図である。
【図２】前記照明装置の説明するための側面図である。
【図３】前記照明装置を説明するための側面図である。
【図４】接続端子の保持部および端子部を示す図である。
【図５】接続端子がソケットに着脱自在に装着される状態を示す斜視図である。
【符号の説明】
【００２９】
１  照明装置
２  蛍光灯
３  接続端子
４  ソケット
５  ガラス管
６  冷陰極
７  リード線
８  端子部
９  保持部
１０  間隙
１１  端子片
１２  位置規制片
１４  保持凸部
１５  スリット
【図１】
2008021607.tif 000003
【図２】
2008021607.tif 000004
【図３】
2008021607.tif 000005
【図４】
2008021607.tif 000006
【図５】
2008021607.tif 000007